(57)【要約】      （修正有）【課題】筆記具ユニットと修正液容器ユニットを必要に応じて分離または結合させることができ、使用上の変化性を備えた修正液を備えた筆記具を提供すること。【解決手段】修正液を備えた筆記具は、筆記具ユニット１と修正液容器ユニット２とを含む。筆記具ユニット１のペン先１３の反対側に雄ネジ１２を備えた凸接部１１が形成され、修正液容器ユニット２の出液口２３の反対側に雌ネジ２２を備えた凹接部２１が形成され、筆記具ユニット１の凸接部１１を修正液容器ユニット２の凹接部２１に伸入させ、且つ雄ネジ１２を雌ネジ２２に螺合してなる。筆記具ユニット１と修正液容器ユニット２とを簡単に組み立てたり、分解したりできる。【選択図】図１
0003138920.tif 000002
【実用新案登録請求の範囲】
【請求項１】
筆記具ユニットと、修正液容器ユニットとを含み、前記筆記具ユニットの一端に筆記に用いるペン先が設けられ、他端に該筆記具ユニットの外径よりも小さい外径の凸接部が形成され、前記修正液容器ユニットは、その内部に適量の修正液が収容され、前記修正液容器ユニットの一端に前記修正液を流出させるための出液口が設けられ、前記修正液容器ユニットの他端に中空の凹陥した凹接部が設けられ、前記筆記具ユニットの前記凸接部が前記修正液容器ユニットの前記凹接部に挿脱可能に嵌入結合されたことを特徴とする修正液を備えた筆記具。
【請求項２】
前記筆記具ユニットの前記凸接部の外周面に雄ネジが形成され、前記修正液容器ユニットの前記凹接部の内周面に、前記雄ネジと螺合する雌ネジが形成されていることを特徴とする請求項１に記載の修正液を備えた筆記具。
【請求項３】
前記筆記具ユニットは、前記ペン先の外側に被せるペンキャップが設置可能とされていることを特徴とする請求項１に記載の修正液を備えた筆記具。
【請求項４】
前記修正液容器ユニットは、前記出液口の外側に被せるキャップ蓋が設置可能とされていることを特徴とする請求項１に記載の修正液を備えた筆記具。
【考案の詳細な説明】
【技術分野】
【０００１】
本考案は、修正液を備えた筆記具に関し、特に、組み立てが簡単で分離もしやすく、使用に便利な修正液を備えた筆記具に関する。
【背景技術】
【０００２】
従来の修正液と筆記具とは、使用上欠かすことのできない日用品であり、且つ、応用上も相互に補い合う効果を備えており、その一般的な応用形態は、図５に示すように、筆記具１０と修正液容器ユニット２０とがそれぞれ独立した用具となっており、筆記具１０（例えば、図５のボールペン）は少なくとも一端にペン芯から外側に向かって突起したペン先１０１を備え、筆記に用いている。修正液容器ユニット２０は弾性を備えた材質から成り、その一端に出液口２０１が設けられ、使用時にはこの出液口２０１を書き損じた箇所に置き、修正液容器ユニット２０を押すと、その内部に入れられた修正液が出液口２０１から流出し、書き損じた部分を覆って修正の機能を達成する。しかしながら、このような従来の筆記具１０と修正液容器ユニット２０は、それぞれ携帯する必要があり、且つ、使用時にそれぞれ取り出して使用しなければならないため、実際の使用上不便さがある。
【０００３】
この課題を解決するものとして、台湾実用新案公告第５９５５５１号「修正液と修正テープを結合した回転交換式修正筆記具」が開示されている。このものは、筆記具の一端に回転座体を結合し、この回転座体上に複合装置を設置することができ、且つ、この複合装置の二端部にそれぞれ修正液と修正テープ出口を設け、筆記具に修正液と修正テープを結合したものである。また、別の実用新案公告第Ｍ２９２４８８号「修正液を備えた筆記具」は、修正液装置を筆記具の一端に一体成型で設けたものであり、筆記具に修正液装置と結合した構造形態を形成している。さらに別の実用新案公告第Ｍ３１０１２８号「修正液（テープ）を同軸結合した筆記具」は、筆記具の一端に修正ツール（即ち、修正液または修正テープ）を一体成型で設けたものである。
【０００４】
【特許文献１】台湾実用新案公告第５９５５５１号「修正液と修正テープを結合した回転交換式修正筆記具」
【特許文献２】台湾実用新案公告第Ｍ２９２４８８号「修正液を備えた筆記具」
【特許文献３】台湾実用新案公告第Ｍ３１０１２８号「修正液（テープ）を同軸結合した筆記具」
【考案の開示】
【考案が解決しようとする課題】
【０００５】
しかしながら、上述の各考案において開示された構造は、筆記具１０と修正液容器ユニット２０をそれぞれ携帯する必要があり、且つ使用に不便であるという問題は効果的に改善しているものの、一体成型の構造は開発の難度が高く、且つ生産コストも比較的高いだけでなく、使用の際に分離できない筆記具と修正装置は使用上変化に欠ける。
【０００６】
そこで、本考案は、これに鑑みてなされたもので、その目的は、筆記具ユニットと修正液容器ユニットを必要に応じて分離または結合させることができて使用上の変化性を備えた修正液を備えた筆記具を提供するものである。
【０００７】
本考案の別の目的は、構造が簡単で、組立てが容易であり、効果的に生産コストを抑え、製品競争力を向上した、修正液を備えた筆記具を提供することにある。
【課題を解決するための手段】
【０００８】
請求項１に係る修正液を備えた筆記具は、筆記具ユニットと、修正液容器ユニットとを含み、前記筆記具ユニットの一端に筆記に用いるペン先が設けられ、他端に該筆記具ユニットの外径よりも小さい外径の凸接部が形成され、前記修正液容器ユニットは、その内部に適量の修正液が収容され、前記修正液容器ユニットの一端に前記修正液を流出させるための出液口が設けられ、前記修正液容器ユニットの他端に中空の凹陥した凹接部が設けられ、前記筆記具ユニットの前記凸接部が前記修正液容器ユニットの前記凹接部に挿脱可能に嵌入結合されたことを特徴とする。
【０００９】
請求項２に係る修正液を備えた筆記具は、請求項１に係る修正液を備えた筆記具において、前記筆記具ユニットの前記凸接部の外周面に雄ネジが形成され、前記修正液容器ユニットの前記凹接部の内周面に、前記雄ネジと螺合する雌ネジが形成されていることを特徴とするものである。
【００１０】
請求項３に係る修正液を備えた筆記具は、請求項１に係る修正液を備えた筆記具において、前記筆記具ユニットは、前記ペン先の外側に被せるペンキャップが設置可能とされていることを特徴とするものである。
【００１１】
請求項４に係る修正液を備えた筆記具は、請求項１に係る修正液を備えた筆記具において、前記修正液容器ユニットは、前記出液口の外側に被せるキャップ蓋が設置可能とされていることを特徴とするものである。
【考案の効果】
【００１２】
請求項１に係る修正液を備えた筆記具によれば、筆記具ユニットと修正液容器ユニットを必要に応じて分離または結合させることができ、使用上の変化性を備えている。
【００１３】
請求項２に係る修正液を備えた筆記具によれば、筆記具ユニットと修正液容器ユニットとが雄ネジとこれに対応する雌ネジとの螺合による結合であるので、必要に応じて分離または結合を簡単で直ちに行うことができる。
【考案を実施するための最良の形態】
【００１４】
以下、本考案の実施の形態を図面を参照して説明する。図１は本考案の実施形態に係る修正液を備えた筆記具を分解して示す斜視図である。図１に示すように、本考案の修正液を備えた筆記具は、主に筆記具ユニット１と修正液容器ユニット２の２つの部分を含む。筆記具ユニット１の一端に筆記に用いるためのペン先１３（本考案で開示する実施例はボールペンであり、このペン先１３は内部のペン芯１３１を接続することができる）が設けられ、ペン先１３の外側に被せるペンキャップ１４が設置できるようになっている。また、筆記具ユニット１の他端に、筆記具ユニット１の外径よりも小さい外径の凸接部１１が形成されるている。
【００１５】
一方、修正液容器ユニット２は、内部に適量の修正液が収容され、その一端に修正液を流出させるための出液口２３が設けられ、出液口２３の外側に被せるキャップ蓋２４が設置できるようになっている。また、修正液容器ユニット２の他端に中空の凹陥した凹接部２１が形成されている。
【００１６】
そして、筆記具ユニット１の凸接部１１が修正液容器ユニット２の凹接部２１の挿脱可能に嵌入結合されている。このための構造として、本実施形態では、筆記具ユニット１の凸接部１１の外周面に雄ネジ１２が形成され、修正液容器ユニット２の凹接部２１の内周面に、筆記具ユニット１の凸接部１１の外周面に設けられた雄ネジ１２と螺合する雌ネジ２２が形成されている。
【００１７】
図２は修正液を備えた筆記具の使用時の状態を示す斜視図である。図３は組み立てた状態を示す修正液を備えた筆記具の一部断面図である。組み立て時は、筆記具ユニット１の凸接部１１を修正液容器ユニット２の凹接部２１内に伸入させ、且つ、雄ネジ１２を雌ネジ２２に螺合するだけでよく、筆記具ユニット１と修正液容器ユニット２を簡単に組み立てたり、分解したりすることができる。
【００１８】
図４は修正液を備えた筆記具の使用時の状態を示す斜視図である。図４に示すように、本考案を実際に使用するときは、修正液容器ユニット２を筆記具ユニット１の凸接部１１に結合させることができ、使用時に書き損じた場合は、直接修正液容器ユニット２を前側にしてその出液口２３を書き損じ部位に置き、修正液容器ユニット２を押すと、その内部に収容された修正液が出液口２３から流出し、書き損じ部位を覆って修正する効果を達成することができる。また、必要に応じて修正液容器ユニット２を筆記具ユニット１から分離し、別の異なる使用形態を形成することもできる。
【００１９】
上述から分かるように、本考案の修正液を備えた筆記具の構造は、組み立てが簡単で分離しやすく、使用に便利な効果を確実に達成することができる。
【図面の簡単な説明】
【００２０】
【図１】本考案の実施形態に係る修正液を備えた筆記具を分解して示す斜視図である。
【図２】修正液を備えた筆記具の斜視図である。
【図３】組み立てた状態を示す修正液を備えた筆記具の一部断面図である。
【図４】本考案の修正液を備えた筆記具の使用時の状態を示す斜視図である。
【図５】従来の修正液と筆記具を示す斜視図である。
【符号の説明】
【００２１】
１  筆記具ユニット
２  修正液容器ユニット
１０  筆記具（従来）
１０１  ペン先（従来）
１１  凸接部
１２  雄ネジ
１３  ペン先
１４  ペンキャップ
２０  修正液容器ユニット（従来）
２０１  出液口（従来）
２１  凹接部
２２  雌ネジ
２３  出液口
２４  キャップ蓋
【図１】
0003138920.tif 000003
【図２】
0003138920.tif 000004
【図３】
0003138920.tif 000005
【図４】
0003138920.tif 000006
【図５】
0003138920.tif 000007